(57)【要約】【課題】  封緘式キャップ付き容器を筒略化し、そのキャップを形成するキャップ本体と補助筒とを一体成形でき又キャップ本体周壁下端への補助筒連結が容易で、更に容器体口頸部へのキャップ装着も容易であるよう設けた。【解決手段】  容器体口頸部４の下部に係合突条５を周設し、該係合突条上方口頸部部分を雄ねじ筒６に形成しておき、雄ねじ筒外面へキャップ本体の周壁12を螺合させると共に、その周壁下端から分離可能に補助筒11b を垂下させ、周壁12と補助筒11b との各一部を破断可能な連結片14で連続させてそれ等キャップ本体と補助筒とを一体成形させ、補助筒内面から上内方へ突出させた弾性の逆刺15上端を係合突条５下面へ係合させた。【選択図】  図２
2005187011.tif 000002
【特許請求の範囲】
【請求項１】
胴部２上端から起立する口頸部４の下部外面に係合突条５を周設し、該係合突条上方の口頸部部分を雄ねじ筒６とした容器体１と、上記雄ねじ筒６へ周壁12を螺合させたキャップ本体11a と、周壁12下端へ分離可能に連結させて垂下する補助筒11b とからなり、
周壁12と補助筒11b との一部を破断可能な連結片14で連続させてキャップ本体11a と補助筒11b とを一体成形すると共に、補助筒11b 内面から上内方へ弾性変形可能に突出させた逆刺15を上記係合突条５下面へ係合させておき、
上記キャップ本体11a の螺脱で連結片14が破断し、かつ周壁12から補助筒11b が分離可能に形成した
ことを特徴とする封緘式キャップ付き容器。
【請求項２】
周壁12下端面から垂下させた第１嵌合筒16と補助筒11b 上端面から起立させた第２嵌合筒17とを、アンダーカット嵌合させた
ことを特徴とする請求項１記載の封緘式キャップ付き容器。
【請求項３】
上記周壁12と補助筒11b との接続を、超音波による数ケ所のスポット溶接13で行った
ことを特徴とする請求項１記載の封緘式キャップ付き容器。
【請求項４】
周壁12下端面から垂下させた第１嵌合筒16へ、補助筒上端面から起立させた第２嵌合筒17を嵌合させて、それ等第１、第２嵌合筒の当接面をスポット溶接13させた
ことを特徴とする請求項３記載の封緘式キャップ付き容器。
【発明の詳細な説明】
【技術分野】
【０００１】
本発明は封緘式キャップ付き容器に関する。
【背景技術】
【０００２】
封緘式キャップ付き容器は、従来広く知られており、その一例として、口頸部外面に第１外向きフランジを付設した容器体と、その口頸部へ嵌合させたキャップとからなり、該キャップは、上記第１外向きフランジ上方の口頸部部分外面へ嵌合させた外周壁下端に第１外向きフランジ上面へ載置させた第２外向きフランジを付設し、かつ該第２外向きフランジ外周から第１外向きフランジを囲んで嵌合筒を垂下し、又該嵌合筒下端内面に第１外向きフランジの外周部下面へ係合する突条を周設させ、上記第２外向きフランジ一部を連結部として残して、外周壁下端と第２外向きフランジ内周との間に第１破断用線を、又第２外向きフランジ外周と嵌合筒との間に第２破断用線をそれぞれ設けて、上記連結部以外の第２外向きフランジ部分上方引上げで開蓋可能としている（特許文献１）。
【特許文献１】実開平６−７６０８６号公報
【発明の開示】
【発明が解決しようとする課題】
【０００３】
上記容器を含めて従来の封緘式キャップ付き容器は、構造が面倒であり、従ってコスト高となり易い欠点があった。
【０００４】
本発明は、そのキャップを容易に一体成形できてコストを廉価とすることが出来ると共に容器体口頸部への嵌合も容易としたものである。
【０００５】
第１の手段として胴部２上端から起立する口頸部４の下部外面に係合突条５を周設し、該係合突条上方の口頸部部分を雄ねじ筒６とした容器体１と、上記雄ねじ筒６へ周壁12を螺合させたキャップ本体11a と、周壁12下端へ分離可能に連結させて垂下する補助筒11b とからなり、
周壁12と補助筒11b との一部を破断可能な連結片14で連続させてキャップ本体11a と補助筒11b とを一体成形すると共に、補助筒11b 内面から上内方へ弾性変形可能に突出させた逆刺15を上記係合突条５下面へ係合させておき、
上記キャップ本体11a の螺脱で連結片14が破断し、かつ周壁12から補助筒11b が分離可能に形成した。
【０００６】
第２の手段として、上記第１の手段を有すると共に周壁12下端面から垂下させた第１嵌合筒16と補助筒11b 上端面から起立させた第２嵌合筒17とを、アンダーカット嵌合させた。
【０００７】
第３の手段として、上記第１の手段を有すると共に上記周壁12と補助筒11b との接続を、超音波による数ケ所のスポット溶接13で行った。
【０００８】
第４の手段として、上記第１又は第３の手段を有すると共に周壁12下端面から垂下させた第１嵌合筒16へ、補助筒上端面から起立させた第２嵌合筒17を嵌合させて、それ等第１、第２嵌合筒の当接面をスポット溶接13させた。
【発明の効果】
【０００９】
請求項１記載のようにすることで、キャップ本体11a と補助筒11b とは、その一体成形を連結片14を挟んでキャップ本体側方に補助筒11b を位置させた状態で行えばよく、その成形が容易であり、又キャップ本体周壁下方へ補助筒11b を連結し垂下してキャップとした状態から行う容器体口頸部への嵌合は、その口頸部へキャップを螺合させるだけで逆刺15は弾性変形して口頸部から突出する係合突条５を乗越えしてその下面へ係合することとなり、キャップ開蓋の際は逆刺15が係合突条５へ係合して補助筒11b の抜け出しを不能とするため、連結片14は破断され、又補助筒とキャップ本体周壁との連結も外れてキャップ本体だけが螺脱することとなり、よって封緘機能を確実に果たすこととなる。
【００１０】
請求項２から４記載のようにすることで、キャップ本体周壁と補助筒11b との分離可能な連結を容易に行うことが出来、請求項４の場合は第１、第２嵌合筒16,17 の嵌合で假連結させた後超音波溶接できるから、上記連結が容易で、かつ確実な連結とすることが出来る。
【発明を実施するための最良の形態】
【００１１】
まず、図１と図２が示す第１実施形態について説明すると、１は容器体で胴部２上端から肩部３を介して口頸部４を起立する。その口頸部の下部外面へは係合突条５を周設しており、該係合突条５上方の口頸部部分へは雄ねじを付設して雄ねじ筒６としている。
【００１２】
上記口頸部へは合成樹脂製のキャップ11を螺合させている。該キャップはキャップ本体11a と該キャップ本体の周壁12の下端へ分離可能に連結されて垂下する補助筒11b とからなり、周壁12下端は係合突条５よりも上方へ位置させており、補助筒11b は係合突条５およびその下方口頸部部分を囲成する。周壁12下端面と補助筒11b 上端面とは超音波による数ケ所のスポット溶接13でその補助筒に対してキャップ本体11a を強く上方へ引上げするとその溶接部分が剥離して分離可能に形成しており、又周壁下端外縁の一部と該部分に対応する補助筒上端外縁の一部とは破断可能な連結片14で連続させている。又補助筒11b の下部内面からは斜上内方へ弾性変形可能な逆刺15を筒状に突出し、該逆刺上端を係合突条５下面へ係合させている。尚該逆刺は間欠的に付設してもよい。
【００１３】
上記キャップ11の成形は、図２が二点鎖線で示すように、連結片14を中心に回動させて補助筒11b を周壁12の側外方へ突出させた状態で行い、該成形後、実線のように周壁12下端面へ補助筒11b 上端面を接した状態で超音波溶接すればよい。
【００１４】
図２の状態からキャップ本体11a を螺脱方向へ回すと、補助筒11b は逆刺15が係合突条５下面へ係合して上昇不能であるため、上記連結片14およびスポット溶接13が破断および剥離して補助筒11b を残したまま螺脱されることとなる。
【００１５】
図３は第２実施形態を示すもので、第１実施形態と同一部分については同一符号を付することで説明を省略して相違部分についてだけ説明すると、周壁12の下端面外周からは第１嵌合筒16を垂下させ、又補助筒11b の上端面内周からは第２嵌合筒17を起立させてそれ等両嵌合筒を嵌合させ、かつそれ等両嵌合筒の当接面を超音波でスポット溶接13している。又連結片14は細かい紐状物で周壁12の下端部外面と補助筒上端部外面とを連結させている。
【００１６】
図４は第３実施形態を示す。該実施形態についても第１実施形態と同一部分については同一符号を付することで説明を省略する。周壁下端面外周から垂下させた第１嵌合筒16と補助筒上端面内周から起立させた第２嵌合筒17とを、凹凸のアンダーカット嵌合で連結させている。該第３実施形態の場合は超音波溶接を行わないでよい。
【００１７】
上記第２、第３実施形態の場合も、各キャップ一体成形に際しては、第１実施形態の場合と同様、連結片14を中心とする回動で補助筒11b を周壁12の側外方へ位置させて成形する。尚既述第２、第３実施形態において、第１嵌合筒16を周壁下端面の内周から、又第２嵌合筒17を補助筒上端面の外周から、それぞれ突出させてもよい。
【図面の簡単な説明】
【００１８】
【図１】本発明容器の正面図である。
【図２】図１要部の拡大縦断面図である。
【図３】第２実施形態で示す容器要部の拡大縦断面図である。
【図４】第３実施形態で示す、容器要部の拡大縦断面図である。
【符号の説明】
【００１９】
１  容器体                          ４  口頸部
５  係合突条                        11  キャップ
11a キャップ本体                    11b 補助筒
12  周壁                            13  スポット溶接
14  連結片                          16  第１嵌合筒
17  第２嵌合筒
【図１】
2005187011.tif 000003
【図２】
2005187011.tif 000004
【図３】
2005187011.tif 000005
【図４】
2005187011.tif 000006